【事件の表示】
　特許第６０１００９０号発明「崩壊可能なカプセルを組み込んだ喫煙器具、崩壊可能なカプセル、及び前記カプセルの製造方法」の特許異議申立事件について、次のとおり決定する。
【結　論】
　特許第６０１００９０号の特許請求の範囲を訂正請求書に添付された訂正特許請求の範囲のとおり、訂正後の請求項〔１−１５〕、〔１６−２９〕について訂正することを認める。
　特許第６０１００９０号の請求項１〜２９に係る特許を維持する。
【理　由】
１．手続の経緯  
　特許第６０１００９０号の請求項１〜２９に係る特許についての出願は、２００６年６月２１日（優先権主張外国庁受理　２００５年６月２１日　欧州特許庁、２００５年８月５日　欧州特許庁）を国際出願日とする特願２００８−５１７６３１号の一部を、平成２６年５月２８日に新たな特許出願とした特願２０１４−１１０１９３号の一部を、平成２６年１１月１０日に新たな特許出願としたものであって、平成２８年９月２３日にその特許権の設定登録がされ、その後、その特許について、平成２９年４月１８日に特許異議申立人奥田　ひとみにより特許異議申立てがなされ、当審において平成２９年７月４日付けで取消理由が通知され、その指定期間内である平成２９年１０月２日に意見書の提出がされたものであり、その後、平成２９年１０月３１日付けで取消理由（決定の予告）が通知され、平成２９年１１月１５日に特許異議申立人より上申書が提出され、取消理由（決定の予告）の指定期間内である平成３０年２月５日に意見書の提出及び訂正の請求があり、これに対して特許異議申立人より平成３０年３月１５日に意見書が提出されたものである。  
  
２．訂正の適否についての判断 
（１）訂正の内容 
　平成３０年２月５日の訂正請求書による訂正の請求は、特許第６０１００９０号の特許請求の範囲を、訂正請求書に添付した特許請求の範囲のとおり、訂正後の請求項１〜１５、１６〜２９について訂正することを求めるものであり、その訂正（以下「本件訂正」という。）の内容は以下のとおりである。 
  
（訂正事項１） 
　特許請求の範囲の請求項１に「前記シェルは、シェルの全乾燥質量に対して４〜９５質量％のジェランガム、寒天、アルギン酸塩、カラギーナン、ペクチン、アラビアゴム、ガティガム、プルランガム、マンナンガム、及び改質デンプンから選択される１種類、若しくはこれらの混合物からなる少なくとも１種類の親水性コロイドを含み、」とあるのを、「前記シェルは、シェルの全乾燥質量に対して４〜９５質量％のジェランガム、寒天、アルギン酸塩、カラギーナン、ペクチン、プルランガム、及び改質デンプンから選択される１種類、若しくはこれらの混合物からなる少なくとも１種類の親水性コロイドを含み、」と訂正する。 
（訂正事項２） 
　特許請求の範囲の請求項１２に「前記シェルが、シェルの全乾燥質量に対して４〜７５質量％のジェランガム、寒天、アルギン酸塩、カラギーナン、ペクチン、アラビアゴム、ガティガム、プルランガム、マンナンガム、及び改質デンプンから選択される１種類、若しくはこれらの混合物からなる少なくとも１種類の親水性コロイドを含む」とあるのを、「前記シェルが、シェルの全乾燥質量に対して４〜７５質量％のジェランガム、寒天、アルギン酸塩、カラギーナン、ペクチン、プルランガム、及び改質デンプンから選択される１種類、若しくはこれらの混合物からなる少なくとも１種類の親水性コロイドを含む」と訂正する。 
  
（訂正事項３） 
　特許請求の範囲の請求項１６に「前記シェルはジェランガム、寒天、アルギン酸塩、カラギーナン、ペクチン、アラビアゴム、ガティガム、プルランガム、マンナンガム、及び改質デンプンから選択される１種類、若しくはこれらの混合物からなる少なくとも１種類の親水性コロイドを含み、」とあるのを、「前記シェルはジェランガム、寒天、アルギン酸塩、カラギーナン、ペクチン、プルランガム、及び改質デンプンから選択される１種類、若しくはこれらの混合物からなる少なくとも１種類の親水性コロイドを含み、」と訂正する。 
（２）訂正の適否 
（２−１）訂正事項１について
ア　訂正の目的 
　上記訂正事項１は、訂正前の請求項１に択一的に記載されたシェルの親水性コロイドのうち、「アラビアゴム」、「ガティガム」、「マンナンガム」を削除する訂正であるから、特許法第１２０条の５第２項ただし書き第１号に規定する特許請求の範囲の減縮を目的とするものである。 
イ　実質上特許請求の範囲を拡張し、又は変更するものではないこと 
　上記訂正事項１は、上記アのとおりであるから、実質上特許請求の範囲を拡張し、又は変更するものではなく、特許法第１２０条の５第９項の規定によって準用する第１２６条第６項に適合するものである。
ウ　願書に添付した明細書、特許請求の範囲又は図面に記載した事項の範囲内の訂正であること 
　上記訂正事項１は、上記アのとおりであるから、願書に添付した明細書、特許請求の範囲又は図面に記載した事項の範囲内のものであり、特許法第１２０条の５第９項の規定によって準用する第１２６条第５項に適合するものである。 
  
（２−２）訂正事項２について
ア　訂正の目的 
　上記訂正事項２は、訂正前の請求項１２に択一的に記載されたシェルの親水性コロイドのうち、「アラビアゴム」、「ガティガム」、「マンナンガム」を削除する訂正であるから、特許法第１２０条の５第２項ただし書き第１号に規定する特許請求の範囲の減縮を目的とするものである。 
イ　実質上特許請求の範囲を拡張し、又は変更するものではないこと 
　上記訂正事項２は、上記アのとおりであるから、実質上特許請求の範囲を拡張し、又は変更するものではなく、特許法第１２０条の５第９項の規定によって準用する第１２６条第６項に適合するものである。
ウ　願書に添付した明細書、特許請求の範囲又は図面に記載した事項の範囲内の訂正であること 
　上記訂正事項２は、上記アのとおりであるから、願書に添付した明細書、特許請求の範囲又は図面に記載した事項の範囲内のものであり、特許法第１２０条の５第９項の規定によって準用する第１２６条第５項に適合するものである。 
（２−３）訂正事項３について
ア　訂正の目的 
　上記訂正事項３は、訂正前の請求項１６に択一的に記載されたシェルの親水性コロイドのうち、「アラビアゴム」、「ガティガム」、「マンナンガム」を削除する訂正であるから、特許法第１２０条の５第２項ただし書き第１号に規定する特許請求の範囲の減縮を目的とするものである。 
イ　実質上特許請求の範囲を拡張し、又は変更するものではないこと 
　上記訂正事項３は、上記アのとおりであるから、実質上特許請求の範囲を拡張し、又は変更するものではなく、特許法第１２０条の５第９項の規定によって準用する第１２６条第６項に適合するものである。
ウ　願書に添付した明細書、特許請求の範囲又は図面に記載した事項の範囲内の訂正であること 
　上記訂正事項３は、上記アのとおりであるから、願書に添付した明細書、特許請求の範囲又は図面に記載した事項の範囲内のものであり、特許法第１２０条の５第９項の規定によって準用する第１２６条第５項に適合するものである。 
（２−４）一群の請求項について
　訂正前の請求項１〜１５は、請求項２〜１５が訂正の請求の対象である請求項１を引用する関係にあるから、訂正前において、一群の請求項に該当するものである。また、訂正前の請求項１６〜２９は、請求項１７〜２９が訂正の請求の対象である請求項１６を引用する関係にあるから、訂正前において、一群の請求項に該当するものである。
　したがって、本件訂正は、一群の請求項ごとにされたものである。
（３）むすび 
　以上のとおりであるから、本件訂正は、特許法第１２０条の５第２項ただし書き第１号に掲げる事項を目的とするものであり、かつ、同条第４項、及び、同条第９項において準用する同法第１２６条第５項及び第６項の規定に適合するので、訂正後の請求項〔１〜１５〕、〔１６〜２９〕からなる一群の請求項についての訂正を認める。 
  
３．特許異議申立について 
（１）本件発明 
　本件訂正により訂正された訂正請求項１〜２９に係る発明（以下訂正請求項１〜２９に係る発明を「本件発明１〜２９」、また、これらをあわせて「本件発明」という。）は、その特許請求の範囲の請求項１〜２９に記載された次の事項により特定されるとおりのものである。 
【請求項１】 
　喫煙器具のフィルター中に封入される崩壊可能なカプセルであって、 
　前記崩壊可能なカプセルは、コアとシェルとを有し、前記コアは芳香剤を含み、 
　前記崩壊可能なカプセルは、ほぼ球形のシームレスカプセルであり、 
　前記崩壊可能なカプセルは、外径が２〜８ｍｍであり、 
　前記シェルの厚さは、１０〜５００μｍであり、 
　前記崩壊可能なカプセルは、０．５〜２．５ｋｐの初期崩壊強度Ｃｉを有し、喫煙試験Ａに供した後に０．５〜２．５ｋｐの崩壊強度Ｃｆを維持し、
　前記崩壊可能なカプセルは、喫煙試験Ａに供した後、破裂前に直径の２／３未満の変形を示し、 
　前記シェルは、シェルの全乾燥質量に対して４〜９５質量％のジェランガム、寒天、アルギン酸塩、カラギーナン、ペクチン、プルランガム、及び改質デンプンから選択される１種類、若しくはこれらの混合物からなる少なくとも１種類の親水性コロイドを含み、該親水性コロイドにより、喫煙試験Ａに供した後の前記崩壊可能なカプセルに対して前記崩壊強度及び前記変形の特性が与えられ、 
　前記喫煙試験Ａは、ＨＥＩＮＲ ＢＯＲＧＷＡＬＤＴ社製ＲＭ ４／ｃｓ喫煙機を用いて行われ、崩壊可能なカプセルを含む紙巻きタバコを、喫煙機の通常の開始位置に配置し、調整可能なパラメータを、下記のとおり設定し、
　パフ容量：３５ｍｌ（喫煙機に関する国際標準法において定義される） 
　パフ持続時間：２秒 
　パフ頻度：６０秒 
　パフ掃引時間：１．８秒 
　排気掃引時間：１秒 
紙巻きタバコが完全に喫煙されるか、又は７回若しくは８回パフされた後、試験は完了する、崩壊可能なカプセル。 
【請求項２】 
　前記シェルの厚さが３０〜１５０μｍである請求項１に記載の崩壊可能なカプセル。 
【請求項３】 
　外径が３〜５ｍｍである請求項１又は２に記載の崩壊可能なカプセル。 
【請求項４】 
　比率（外径／前記シェルの厚さ）が１０〜１００である請求項１から３のいずれかに記載の崩壊可能なカプセル。 
【請求項５】 
　前記シェルが少なくとも１層の防湿層で被覆されている請求項１から４のいずれかに記載の崩壊可能なカプセル。 
【請求項６】 
　前記防湿層が、ろう、シェラック、エチルセルロース、ヒドロキシプロピルメチルセルロース、ラテックス組成物、ポリビニルアルコール、及びこれらの混合物からなる群より選択される防湿剤を含む請求項５に記載の崩壊可能なカプセル。 
【請求項７】 
　前記ろうが、カルバナろう、カンデリラろう、蜜ろう、及びカーボワックスから選択される請求項６に記載の崩壊可能なカプセル。 
【請求項８】 
　前記防湿層がフィルム形成性のゲル化剤を含む請求項５に記載の崩壊可能なカプセル。 
【請求項９】 
　前記コアが溶媒を含む請求項１から８のいずれかに記載の崩壊可能なカプセル。 
【請求項１０】 
　前記芳香剤が知覚芳香剤である請求項１から９のいずれかに記載の崩壊可能なカプセル。 
【請求項１１】 
　前記芳香剤が、メントール、ミント香料、及びコハク酸メンチルからなる群より選択される請求項１から９のいずれかに記載の崩壊可能なカプセル。
【請求項１２】 
　前記シェルが、シェルの全乾燥質量に対して４〜７５質量％のジェランガム、寒天、アルギン酸塩、カラギーナン、ペクチン、プルランガム、及び改質デンプンから選択される１種類、若しくはこれらの混合物からなる少なくとも１種類の前記親水性コロイドを含む請求項１から１１のいずれかに記載の崩壊可能なカプセル。 
【請求項１３】 
　前記コアの質量が、前記崩壊可能なカプセルの質量に対して５０〜９２質量％である請求項１から１２のいずれかに記載の崩壊可能なカプセル。 
【請求項１４】 
　喫煙器具に備えられるフィルターであって、 
　請求項１から１３のいずれかに記載の崩壊可能なカプセルがフィルターエレメント中に封入されたフィルター。 
【請求項１５】 
　燃焼物を含み、或いは受容することができる受容体と、該受容体に接続された請求項１４に記載のフィルターとを備える喫煙器具。 
【請求項１６】 
　喫煙器具のフィルター中に封入される崩壊可能なカプセルであって、 
　前記崩壊可能なカプセルは、コアとシェルとを有し、前記コアは芳香剤を含み、前記シェルはジェランガム、寒天、アルギン酸塩、カラギーナン、ペクチン、プルランガム、及び改質デンプンから選択される１種類、若しくはこれらの混合物からなる少なくとも１種類の親水性コロイドを含み、 
　前記崩壊可能なカプセルは、ほぼ球形のシームレスカプセルであり、 
　前記崩壊可能なカプセルは、外径が２〜８ｍｍであり、 
　前記シェルの厚さは、１０〜５００μｍであり、 
　前記崩壊可能なカプセルは、０．５〜２．５ｋｐの初期崩壊強度Ｃｉを有し、喫煙試験Ａに供した後に０．５〜２．５ｋｐの崩壊強度Ｃｆを維持し、
　前記崩壊可能なカプセルは、喫煙試験Ａに供した後、破裂前に直径の２／３未満の変形を示し、 
　前記崩壊可能なカプセルは、前記シェルを被覆する防湿層を有し、該防湿層により、喫煙試験Ａに供した後の前記崩壊可能なカプセルに対して前記崩壊強度及び前記変形の特性が与えられ、 
　前記喫煙試験Ａは、ＨＥＩＮＲ ＢＯＲＧＷＡＬＤＴ社製ＲＭ ４／ｃｓ喫煙機を用いて行われ、崩壊可能なカプセルを含む紙巻きタバコを、喫煙機の通常の開始位置に配置し、調整可能なパラメータを、下記のとおり設定し、
　パフ容量：３５ｍｌ（喫煙機に関する国際標準法において定義される） 
　パフ持続時間：２秒 
　パフ頻度：６０秒 
　パフ掃引時間：１．８秒 
　排気掃引時間：１秒 
紙巻きタバコが完全に喫煙されるか、又は７回若しくは８回パフされた後、試験は完了する、崩壊可能なカプセル。 
【請求項１７】 
　前記シェルの厚さが３０〜１５０μｍである請求項１６に記載の崩壊可能なカプセル。 
【請求項１８】 
　外径が３〜５ｍｍである請求項１６又は１７に記載の崩壊可能なカプセル。 
【請求項１９】 
　比率（外径／前記シェルの厚さ）が１０〜１００である請求項１６から１８のいずれかに記載の崩壊可能なカプセル。 
【請求項２０】 
　前記防湿層が、ろう、シェラック、エチルセルロース、ヒドロキシプロピルメチルセルロース、ラテックス組成物、ポリビニルアルコール、及びこれらの混合物からなる群より選択される防湿剤を含む請求項１６から１９のいずれかに記載の崩壊可能なカプセル。 
【請求項２１】 
　前記ろうが、カルバナろう、カンデリラろう、蜜ろう、及びカーボワックスから選択される請求項２０に記載の崩壊可能なカプセル。 
【請求項２２】 
　前記防湿層がフィルム形成性のゲル化剤を含む請求項１６から１９のいずれかに記載の崩壊可能なカプセル。 
【請求項２３】 
　前記コアが溶媒を含む請求項１６から２２のいずれかに記載の崩壊可能なカプセル。 
【請求項２４】 
　前記芳香剤が知覚芳香剤である請求項１６から２３のいずれかに記載の崩壊可能なカプセル。 
【請求項２５】 
　前記芳香剤が、メントール、ミント香料、及びコハク酸メンチルからなる群より選択される請求項１６から２４のいずれかに記載の崩壊可能なカプセル。 
【請求項２６】 
　前記シェルが、シェルの全乾燥質量に対して４〜７５質量％の少なくとも１種類の前記親水性コロイドを含む請求項１６から２５のいずれかに記載の崩壊可能なカプセル。 
【請求項２７】 
　前記コアの質量が、前記崩壊可能なカプセルの質量に対して５０〜９２質量％である請求項１６から２６のいずれかに記載の崩壊可能なカプセル。 
【請求項２８】 
　喫煙器具に備えられるフィルターであって、 
　請求項１６から２７のいずれかに記載の崩壊可能なカプセルがフィルターエレメント中に封入されたフィルター。 
【請求項２９】 
　燃焼物を含み、或いは受容することができる受容体と、該受容体に接続された請求項２８に記載のフィルターとを備える喫煙器具。 
（２）取消理由の概要  
　請求項１〜２９に係る特許に対して平成２９年７月４日付けで特許権者に通知した取消理由は、要旨次のとおりである。  
　なお、当該取消理由は、特許異議申立書に記載した特許異議の申立ての理由を全て含んでいる。
  
ア　特許法第３６条第６項第１号  
　本件発明１〜２９は、親水性コロイドとしてジェランガム及びゼラチンを含むもの以外のものについて、及び充填剤であるデキストリンを含むもの以外のものについて、発明の詳細な説明に記載されたものでないから、その特許は、特許法第３６条第６項第１号に規定する要件を満たしていない特許出願に対してなされたものであり、取り消されるべきものである。
  
イ　特許法第３６条第４項第１号  
　当業者が、本件発明に係る親水性コロイドを用いて、初期崩壊強度や崩壊強度を達成するには、過度の試行錯誤を要するから、本件特許明細書の発明の詳細な説明は、その発明の属する技術の分野における通常の知識を有する者がその実施をすることができる程度に明確かつ十分に記載したものでなく、請求項１〜２９に係る特許は、特許法第３６条第４項第１号に規定する要件を満たしていない特許出願に対してなされたものであり、取り消されるべきものである。  
  
ウ　特許法第２９条第２項  
　請求項１〜２９に係る発明は、甲第１号証に記載された発明及び甲第３〜９号証記載の事項に基いて当業者が容易に発明をすることができたものである。  
　よって、請求項１〜２９に係る特許は、特許法第２９条第２項の規定に違反してされたものであり、取り消されるべきものである。  
  
　甲第１号証：国際公開２００５／００００４４号  
　甲第２号証：特表２００７−５２０２０４号公報  
　甲第３号証：米国特許第４８８９１４４号明細書  
　甲第４号証：ＩＮＴＥＲＮＡＴＩＯＮＡＬ　ＳＴＡＮＤＡＲＤ　ＩＳＯ３３０８  
　甲第５号証：国際公開２００３／０４３６０９号  
　甲第６号証：特開２００１−２７８７４０号公報  
　甲第７号証：米国特許第５６１４２１７号明細書  
　甲第８号証：特開昭６４−０６０３６３号公報  
　甲第９号証：特開平０７−２５０６６５号公報  
  
（３）当審の判断  
ア　特許法第３６条第６項第１号について  
　本件発明のカプセルが有するシェルについて、請求項１には、「前記シェルは、シェルの全乾燥質量に対して４〜９５質量％のジェランガム、寒天、アルギン酸塩、カラギーナン、ペクチン、プルランガム、及び改質デンプンから選択される１種類、若しくはこれらの混合物からなる少なくとも１種類の親水性コロイドを含み」と特定され、請求項１６には、「前記シェルはジェランガム、寒天、アルギン酸塩、カラギーナン、ペクチン、プルランガム、及び改質デンプンから選択される１種類、若しくはこれらの混合物からなる少なくとも１種類の親水性コロイドを含み」と特定されている。そこで、本件発明が、このようなシェルの全てについて、当該発明の課題を解決できると認識できるか否かについて検討する。 
  
　本件発明の課題は、本件特許明細書の「【発明が解決しようとする課題】
【０００５】 
　ゼラチンのカプセルは優れた保存用カプセルであるが、水分に敏感であり、喫煙中に軟化するおそれがある。軟化してしまうと、ゼラチンのカプセルは、崩壊能、つまり、喫煙者がカプセル中のコアを放出させたい場合に、喫煙者が指で圧力を加えることにより、シェルを破裂させることができる能力を失う。通常、従来のゼラチンカプセルは、喫煙時の水分条件下で重大な変形を引き起こし、喫煙者が指で圧力を加えることにより、シェルを崩壊させることができなくなる。 
【０００６】 
　破裂能は、カプセルに圧力を加えて破裂させるための崩壊強度、及び加圧した場合の変形によって測定される。 
【０００７】 
　本発明のためには、２４．５Ｎ（２．５ｋｐ）を上回る崩壊強度は、期待どおりの結果を得るためには高すぎると思われるため、乾燥状態の崩壊強度は、２４．５Ｎ（２．５ｋｐ）を超えない。 
【０００８】 
　したがって、崩壊強度が２４．５Ｎ（２．５ｋｐ）以下で、喫煙中にフィルターにもたらされる水分にさらされても崩壊能を維持することができる新規なカプセルが望まれている。」の記載から、崩壊強度が２４．５Ｎ（２．５ｋｐ）以下で、喫煙中にフィルターにもたらされる水分にさらされても崩壊能を維持することができる新規なカプセルを提供することである。 
　そして、「【０００９】 
　本出願人らは、カプセルの外側のシェルに選択された親水性コロイドを含ませ、且つ／又は外側のシェルを防湿層で被覆することにより、カプセルが、該喫煙器具中において、喫煙者によってもたらされる水分にさらされても崩壊能を維持することができることを見出した。 
【００１０】 
　したがって、本発明は、燃焼物、好ましくはタバコを含み、又は受容することができる受容体と、少なくとも１種類の崩壊可能なカプセルを含み、前記受容体に接続されたフィルターエレメントとを備え、該カプセルが、４．９〜２４．５Ｎ（０．５〜２．５ｋｐ）の崩壊強度Ｃｉを有し、４．９〜２４．５Ｎ（０．５〜２．５ｋｐ）の崩壊強度Ｃｆを維持し、喫煙試験Ａに供した後、破裂前に直径の２／３未満の変形を示す、喫煙器具に関する（１ｋｐ＝９．８Ｎであることは、当業者に公知である）。」と記載されていることから、カプセルが、４．９〜２４．５Ｎ（０．５〜２．５ｋｐ）の崩壊強度Ｃｉを有し、４．９〜２４．５Ｎ（０．５〜２．５ｋｐ）の崩壊強度Ｃｆを維持し、喫煙試験Ａに供した後、破裂前に直径の２／３未満の変形を示すことで、本件発明の課題を解決すると理解される。 
　そして、本件発明１のほぼ球形のシームレスカプセルであること並びにシェルの外径及び厚さは、崩壊強度や変形に影響を与えるパラメータについて、上記本件発明の課題を解決するための前提として特定したものである。さらに、シェルが、シェルの全乾燥質量に対して４〜９５質量％のジェランガム、寒天、アルギン酸塩、カラギーナン、ペクチン、プルランガム、及び改質デンプンから選択される１種類、若しくはこれらの混合物からなる少なくとも１種類の親水性コロイドを含むことは、シェルに用いられる様々な親水性コロイドの中から、本件発明の初期崩壊強度Ｃｉ、喫煙試験Ａに供した後の崩壊強度Ｃｆ及び破裂前の変形量を満たすのに適した親水性コロイドとその含有量の範囲を特定したものと解される。ゆえに、本件発明の課題は、本件発明で特定される初期崩壊強度Ｃｉ、喫煙試験Ａに供した後の崩壊強度Ｃｆ及び破裂前の変形量（以下「本件発明で求められる崩壊強度等」という。）を満たすことで解決されるものである。 
　そして、本件特許明細書において、具体的には、ジェランガム　ケルコＦ：１１．６２％　ゼラチン　２６０Ａ：２５．８２％　デキストリン結晶　Ｔｅｘ　Ｔ６４８：５１．６５％（実施例１）、ジェランガム：１３．３３％　ゼラチン：２４．２４％　デキストリン　ＣＴ６４８：６０．６１％（実施例３）を含有するカプセルが、本件発明で求められる崩壊強度等を有すること（【表５】、【００７４】、【００７５】）が記載されているのみであるが、ゼラチンは、水分に敏感であり、喫煙中に軟化するおそれがあり、喫煙者が指で圧力を加えることにより、シェルを崩壊させることができなくなること（【０００５】）及び「シェルの組成物中に充填剤を含んでいてもよく」（【００３１】）と記載されていることを考慮すると、ゼラチン以外の親水性コロイドであるジェランガムを４〜９５質量％の範囲で適宜調整して本件発明で求められる崩壊強度を満たすことが理解できる。
　ここで、【００３１】には、充填剤がシェルの硬化に影響を与えることが記載されているが、本件発明は崩壊強度等の範囲が特定されている発明であって、当該崩壊強度等の範囲とするために充填剤が必須であるとまではいえない。
　また、寒天、アルギン酸塩、カラギーナン、ペクチン、プルランガム、及び改質デンプンは、本件特許明細書でシェルの成分としてジェランガムに並んで用いることができると記載されており（【００２１】、【００２４】）、水分に敏感とされるゼラチンとは異なり、ジェランガムと同様に多糖類に属することから、ジェランガムと同様に用いることで本件発明で求められる崩壊強度等を満たすようにできることは、当業者であれば、本件特許明細書の記載から理解できるものである。 
　なお、カラギーナンとアルギン酸塩とを含み、充填剤を含まないシェルについては、本件特許のもとの特許出願（以下「親出願」という。）である特願２０１４−１１０１９３号における平成２６年１１月１０日付け意見書（本件特許異議申立事件における平成２９年１０月２日付け意見書の添付書類参照。）において、又、ジェランガムを４．２２質量％含み、充填剤を含まないシェル及び２種類のカラギーナンを９５．２質量％含み、充填剤を含まないシェルについては、親出願の平成２７年２月５日付け意見書（本件特許異議申立事件における平成２９年１０月２日付け意見書の添付書類参照。）において、それぞれ本件発明で求められる崩壊強度等を満たすことが示されていることからも追認できる。 
  
　したがって、本件特許明細書には、シェルが、シェルの全乾燥質量に対して４〜９５質量％のジェランガム、寒天、アルギン酸塩、カラギーナン、ペクチン、プルランガム、及び改質デンプンから選択される１種類、若しくはこれらの混合物からなる少なくとも１種類の親水性コロイドを含むことで、本件発明で求められる崩壊強度等を満たすことが記載されているといえるから、本件発明は本件特許明細書に記載されたものであって、特許法第３６条第６項第１号に規定する要件を満たしている。
　また、同様の理由により、本件発明２〜２９は、本件特許明細書に記載されたものであって、特許法第３６条第６項第１号に規定する要件を満たしている。
イ　特許法第３６条第４項第１号について 
　特許異議申立人は、本件発明のシェルの組成について、本件特許明細書に具体的に示されているのは、ジェランガム及びゼラチンを含み、多量のデキストリンを含むカプセルのみであり、ゼラチンを含まないカプセルの場合、本件発明に係る崩壊強度Ｃｉ及びＣｆを達成するには過度の試行錯誤が必要であるから、本件特許明細書には当業者がその実施ができる程度に明確かつ十分に記載されていない旨主張する。 
　しかし、本件発明は、ゼラチンのみでは本件発明で求められる崩壊強度等を有しない旨の本件特許明細書の記載（【０００５】）を考慮すると、シェルの成分として、ジェランガムを含有させることで、本件発明で求められる崩壊強度等を満たすと理解できる。また、本件発明で特定される水溶性コロイドは、本件特許明細書でシェルの成分としてジェランガムに並んで用いることができると記載されており（【００２１】、【００２４】）、ジェランガムと同様の多糖類であることから、ジェランガムと同様に用いることで本件発明で求められる崩壊強度等を満たすようにできることは、当業者であれば、本件特許明細書の記載から理解できるものであって、過度の試行錯誤が必要であるとまではいえない。 
　したがって、本件特許明細書の発明の詳細な説明は、その発明の属する技術の分野における通常の知識を有する者が、本件発明の実施をすることができる程度に明確かつ十分に記載したものであるといえる。 
  
ウ　特許法第２９条第２項について 
（ア）甲１号証の記載 
　甲第１号証（ＣＬＡＩＭＥ　１、１１、［００１１］、［００５５］、［００７５］、［００７６］、［００９１］、［００９２］）には、 
「フィルターとタバコロッドからなるシガレットのフィルター中の空洞に封入される崩壊可能なカプセルであって、
　ゼラチンシェルと、該ゼラチンシェル内に含有される天然スペアミント風味剤と希釈剤の混合物からなる内部液体成分とを含み、
　ほぼ球形で、連続して密封された一体形部材からなり、
　直径が約３．５ｍｍであり、
　内部液体成分の容積が、全カプセル容積の８０％から９０％であり、
　フィルターに挿入する前の破壊強さが、１５００から２０００（ｇｆ）の範囲である、
　カプセル。」の発明（以下「甲１発明」という。）が記載されている。 
  
（イ）対比・判断 
　本件発明１と甲１発明とを対比すると、少なくとも、崩壊可能なカプセルが、本件発明１では、「シェルの全乾燥質量に対して４〜９５質量％のジェランガム、寒天、アルギン酸塩、カラギーナン、ペクチン、プルランガム、及び改質デンプンから選択される１種類、若しくはこれらの混合物からなる少なくとも１種類の親水性コロイドを含み、該親水性コロイドにより、喫煙試験Ａに供した後の前記崩壊可能なカプセルに対して前記崩壊強度及び前記変形の特性が与えられ」るのに対して、甲１発明では、「ゼラチンシェル」を含み、「フィルターに挿入する前の破壊強さが、１５００から２０００（ｇｆ）の範囲である」点で相違する。
　当該相違点について検討するに、甲第１号証の［００９７］には、「たばこ内の水分レベル、およびタバコが保存され使用される下での通常の周囲条件は、これらのタバコ内のカプセルの破壊を引き起こすために、十分な水分が供給されていないか又は水にさらされていません。すなわち、水分量がカプセルのゼラチンの溶解に十分でなく、ひいてはカプセルの変形や破壊を引き起こすのに十分ではない。このように、カプセルは、カプセルが意図的に喫煙者によって破壊されるまで、通常の保存、取り扱い及び使用下で、タバコの中にその保全を保ための能力を維持しています。」（翻訳は当審による。）と記載されており、甲１発明のカプセルは、ゼラチン等を含む外殻が喫煙時の水分によって変形及び破壊が生じるとはされておらず、喫煙後においても喫煙者が指で圧力を加えることで崩壊可能なものとされている。 
　そうすると、甲第１号証の記載によれば、当業者は、甲１発明のカプセルは、喫煙前及び喫煙後において喫煙者が指で圧力を加えることで崩壊可能な十分な強度を有しているものと理解するから、カプセルの吸湿性に伴う軟化を防ぐという課題を認識しない。よって、甲１発明において、ゼラチンの軟化を防ぐためにジェランガム等を用いる動機付けはない。
　ここで、特許異議申立人は、甲第２号証の【００６１】（甲第１号証［００７７］）に「本発明の特定の態様を実行するのに使用できる別のカプセルおよびカプセル構成要素は、・・・、Ｔａｔｅｎｏらによる米国特許第４，８８９，１４４号、・・・に記載された種類であり、これら特許および特許出願は参照により本明細書に組み込まれる。」（「・・・」は省略を意味する。）と記載されており、米国特許第４，８８９，１４４号には、外側をアルギン酸カルシウムのゲルでコーティングされたものが記載されているから、甲１発明のゼラチンに変えてアルギン酸カルシウムを用いることは当業者が容易に想到し得た旨主張する。
　しかし、米国特許第４，８８９，１４４号のカプセルは、ゲル粒子にアルギン酸カルシウムコーティングを行うものであって、甲１発明のコアとシェルとを有するカプセルとは異なるタイプのカプセルであるから、甲１発明に適用することに阻害要因がある。
  
　したがって、甲１発明において、上記相違点に係る本件発明１の事項とすることを当業者が容易になしえたとはいえず、本件発明１は、甲１発明及び他の甲各号証に記載された事項に基いて当業者が容易に発明をすることができたとはいえない。 
（ウ）本件発明２〜１５について 
　本件発明２〜１５は、本件発明１を更に減縮したものであるから、上記本件発明１についての判断と同様の理由により、甲１発明及び他の甲各号証に記載された事項に基いて当業者が容易に発明をすることができたとはいえない。 
  
（エ）本件発明１６〜２９について 
　本件発明１６〜２９は、実質的に本件発明１の発明特定事項を全て含む発明であるから、上記本件発明１についての判断と同様の理由により、甲１発明及び他の甲各号証に記載された事項に基いて当業者が容易に発明をすることができたとはいえない。
  
４．むすび 
　したがって、取消理由通知に記載した取消理由によっては、請求項１〜２９に係る特許を取り消すことはできない。 
　また、他に請求項１〜２９に係る特許を取り消すべき理由を発見しない。 
　よって、結論のとおり決定する。 
【異議決定日】
平成３０年４月１８日（２０１８．４．１８）
【訂正の要旨】
審決（決定）の【理由】欄参照。
（５７）【特許請求の範囲】
　【請求項１】
　喫煙器具のフィルター中に封入される崩壊可能なカプセルであって、
　前記崩壊可能なカプセルは、コアとシェルとを有し、前記コアは芳香剤を含み、
　前記崩壊可能なカプセルは、ほぼ球形のシームレスカプセルであり、
　前記崩壊可能なカプセルは、外径が２〜８ｍｍであり、
　前記シェルの厚さは、１０〜５００μｍであり、
　前記崩壊可能なカプセルは、０．５〜２．５ｋｐの初期崩壊強度Ｃｉを有し、喫煙試験Ａに供した後に０．５〜２．５ｋｐの崩壊強度Ｃｆを維持し、
　前記崩壊可能なカプセルは、喫煙試験Ａに供した後、破裂前に直径の２／３未満の変形を示し、
　前記シェルは、シェルの全乾燥質量に対して４〜９５質量％のジェランガム、寒天、アルギン酸塩、カラギーナン、ペクチン
、プルランガム、及
　前記喫煙試験Ａは、ＨＥＩＮＲ　ＢＯＲＧＷＡＬＤＴ社製ＲＭ　４／ｃｓ喫煙機を用いて行われ、崩壊可能なカプセルを含む紙巻きタバコを、喫煙機の通常の開始位置に配置し、調整可能なパラメータを、下記のとおり設定し、
　パフ容量：３５ｍｌ（喫煙機に関する国際標準法において定義される）
　パフ持続時間：２秒
　パフ頻度：６０秒
　パフ掃引時間：１．８秒
　排気掃引時間：１秒
紙巻きタバコが完全に喫煙されるか、又は７回若しくは８回パフされた後、試験は完了する、崩壊可能なカプセル。
　【請求項２】
　前記シェルの厚さが３０〜１５０μｍである請求項１に記載の崩壊可能なカプセル。
　【請求項３】
　外径が３〜５ｍｍである請求項１又は２に記載の崩壊可能なカプセル。
　【請求項４】
　比率（外径／前記シェルの厚さ）が１０〜１００である請求項１から３のいずれかに記載の崩壊可能なカプセル。
　【請求項５】
　前記シェルが少なくとも１層の防湿層で被覆されている請求項１から４のいずれかに記載の崩壊可能なカプセル。
　【請求項６】
　前記防湿層が、ろう、シェラック、エチルセルロース、ヒドロキシプロピルメチルセルロース、ラテックス組成物、ポリビニルアルコール、及びこれらの混合物からなる群より選択される防湿剤を含む請求項５に記載の崩壊可能なカプセル。
　【請求項７】
　前記ろうが、カルバナろう、カンデリラろう、蜜ろう、及びカーボワックスから選択される請求項６に記載の崩壊可能なカプセル。
　【請求項８】
　前記防湿層がフィルム形成性のゲル化剤を含む請求項５に記載の崩壊可能なカプセル。
　【請求項９】
　前記コアが溶媒を含む請求項１から８のいずれかに記載の崩壊可能なカプセル。
　【請求項１０】
　前記芳香剤が知覚芳香剤である請求項１から９のいずれかに記載の崩壊可能なカプセル。
　【請求項１１】
　前記芳香剤が、メントール、ミント香料、及びコハク酸メンチルからなる群より選択される請求項１から９のいずれかに記載の崩壊可能なカプセル。
　【請求項１２】
　前記シェルが、シェルの全乾燥質量に対して４〜７５質量％のジェランガム、寒天、アルギン酸塩、カラギーナン、ペクチン
、プルランガム、及び
　【請求項１３】
　前記コアの質量が、前記崩壊可能なカプセルの質量に対して５０〜９２質量％である請求項１から１２のいずれかに記載の崩壊可能なカプセル。
　【請求項１４】
　喫煙器具に備えられるフィルターであって、
　請求項１から１３のいずれかに記載の崩壊可能なカプセルがフィルターエレメント中に封入されたフィルター。
　【請求項１５】
　燃焼物を含み、或いは受容することができる受容体と、該受容体に接続された請求項１４に記載のフィルターとを備える喫煙器具。
　【請求項１６】
　喫煙器具のフィルター中に封入される崩壊可能なカプセルであって、
　前記崩壊可能なカプセルは、コアとシェルとを有し、前記コアは芳香剤を含み、前記シェルはジェランガム、寒天、アルギン酸塩、カラギーナン、ペクチン
、プルランガム、及び
　前記崩壊可能なカプセルは、ほぼ球形のシームレスカプセルであり、
　前記崩壊可能なカプセルは、外径が２〜８ｍｍであり、
　前記シェルの厚さは、１０〜５００μｍであり、
　前記崩壊可能なカプセルは、０．５〜２．５ｋｐの初期崩壊強度Ｃｉを有し、喫煙試験Ａに供した後に０．５〜２．５ｋｐの崩壊強度Ｃｆを維持し、
　前記崩壊可能なカプセルは、喫煙試験Ａに供した後、破裂前に直径の２／３未満の変形を示し、
　前記崩壊可能なカプセルは、前記シェルを被覆する防湿層を有し、該防湿層により、喫煙試験Ａに供した後の前記崩壊可能なカプセルに対して前記崩壊強度及び前記変形の特性が与えられ、
　前記喫煙試験Ａは、ＨＥＩＮＲ　ＢＯＲＧＷＡＬＤＴ社製ＲＭ　４／ｃｓ喫煙機を用いて行われ、崩壊可能なカプセルを含む紙巻きタバコを、喫煙機の通常の開始位置に配置し、調整可能なパラメータを、下記のとおり設定し、
　パフ容量：３５ｍｌ（喫煙機に関する国際標準法において定義される）
　パフ持続時間：２秒
　パフ頻度：６０秒
　パフ掃引時間：１．８秒
　排気掃引時間：１秒
紙巻きタバコが完全に喫煙されるか、又は７回若しくは８回パフされた後、試験は完了する、崩壊可能なカプセル。
　【請求項１７】
　前記シェルの厚さが３０〜１５０μｍである請求項１６に記載の崩壊可能なカプセル。
　【請求項１８】
　外径が３〜５ｍｍである請求項１６又は１７に記載の崩壊可能なカプセル。
　【請求項１９】
　比率（外径／前記シェルの厚さ）が１０〜１００である請求項１６から１８のいずれかに記載の崩壊可能なカプセル。
　【請求項２０】
　前記防湿層が、ろう、シェラック、エチルセルロース、ヒドロキシプロピルメチルセルロース、ラテックス組成物、ポリビニルアルコール、及びこれらの混合物からなる群より選択される防湿剤を含む請求項１６から１９のいずれかに記載の崩壊可能なカプセル。
　【請求項２１】
　前記ろうが、カルバナろう、カンデリラろう、蜜ろう、及びカーボワックスから選択される請求項２０に記載の崩壊可能なカプセル。
　【請求項２２】
　前記防湿層がフィルム形成性のゲル化剤を含む請求項１６から１９のいずれかに記載の崩壊可能なカプセル。
　【請求項２３】
　前記コアが溶媒を含む請求項１６から２２のいずれかに記載の崩壊可能なカプセル。
　【請求項２４】
　前記芳香剤が知覚芳香剤である請求項１６から２３のいずれかに記載の崩壊可能なカプセル。
　【請求項２５】
　前記芳香剤が、メントール、ミント香料、及びコハク酸メンチルからなる群より選択される請求項１６から２４のいずれかに記載の崩壊可能なカプセル。
　【請求項２６】
　前記シェルが、シェルの全乾燥質量に対して４〜７５質量％の少なくとも１種類の前記親水性コロイドを含む請求項１６から２５のいずれかに記載の崩壊可能なカプセル。
　【請求項２７】
　前記コアの質量が、前記崩壊可能なカプセルの質量に対して５０〜９２質量％である請求項１６から２６のいずれかに記載の崩壊可能なカプセル。
　【請求項２８】
　喫煙器具に備えられるフィルターであって、
　請求項１６から２７のいずれかに記載の崩壊可能なカプセルがフィルターエレメント中に封入されたフィルター。
　【請求項２９】
　燃焼物を含み、或いは受容することができる受容体と、該受容体に接続された請求項２８に記載のフィルターとを備える喫煙器具。